(57)【特許請求の範囲】
【請求項１】
下地材を介して塗料を塗布した基材よりなる塗物の外面要所に、レーザー加工機により、コンピューター制御で照射されるレーザー光線で彫刻する加飾技術において、
前記要所の塗料の層に接着層を積層塗布し、該接着層に金箔を接着して該要所に造形表現部を形成し、該造形表現部に彫りかす剥離用薬液を塗布し、
前記彫刻が、コンピューターに入力された所要画像に倣う肖像造形及び／又は花鳥風月造形から成り、
造形後水洗による仕上げ処理を施して成り、レーザー光線の照射深度と走査速度を制御して、金箔と接着層よりなる積層された層を、所望の深さまで彫ることを特徴とする塗物への造形付加方法。
【請求項２】
前記造形表現部が、接着層と該接着層に接着される金箔との複数階層から成る請求項１記載の塗物への造形付加方法。
【請求項３】
下地材を介して塗料を塗布した基材に接着層が積層塗布され、該接着層に金箔が接着された塗物の外面要所に、レーザー加工機によりコンピューター制御で照射されるレーザー光線で彫刻が造形された造形表現部が形成され、
前記彫刻が、該造形表現部における肖像造形及び／又は花鳥風月造形から成る塗物。
【請求項４】
前記造形表現部が、接着層と該接着層に接着される金箔との複数階層から成る請求項３記載の塗物。
【発明の詳細な説明】
【技術分野】
【０００１】
本発明は、漆器及び位牌・仏具等の塗物の分野に属し、詳しくはレーザー光線による加工を伴った塗物への造形付加方法と該方法による塗物に関する。
【背景技術】
【０００２】
レーザー加工機（彫刻機）により塗物としての位牌本体の要所に所要の筆跡をてん刻したり、てん刻した個所に金箔を貼る技術は、特許第３６５５８７９号（特許文献１）として本願出願人が取得済みである。
一方、仏壇における位牌の多くは写真立てとともに在り、この写真立てが除かれれば仏壇内の空間は広く利用できる。
そこで、前記技術を肖像表現に使用しようとすると、金箔のみのグラデーションであるため、写真のように人物などを表情豊かに表現できない問題がある。このほか、花鳥風月の造形表現に使用する場合でも、明確なグラデーションを以て表現できないことは勿論である。
【先行技術文献】
【特許文献】
【０００３】
【特許文献１】特許第３６５５８７９号
【発明の概要】
【発明が解決しようとする課題】
【０００４】
本発明は上記に鑑みて、漆器及び位牌・仏具等の塗物の要所に、明確に目視され得る肖像造形及び／又は花鳥風月造形を形成できる塗物への造形付加方法と、該方法が施された塗物を提供する。
【課題を解決するための手段】
【０００５】
本発明の請求項１に記載した塗物への造形付加方法は塗物の外面要所に、レーザー加工機により、コンピューター制御で照射されるレーザー光線で彫刻する加飾技術において、
前記要所に接着層を積層塗布し、該接着層に金箔を接着して該要所に造形表現部を形成し、該造形表現部に彫りかす剥離用薬液を塗布し、
前記彫刻が、コンピューターに入力された所要画像に倣う肖像造形及び／又は花鳥風月造形から成り、
造形後水洗による仕上げ処理を施して成る。
本発明の請求項２に記載した発明は、請求項１に記載した塗物への造形付加方法において、
前記造形表現部が、接着層と該接着層に接着される金箔との複数階層から成る。
本発明の請求項３に記載した塗物は、塗物の外面要所に、レーザー加工機によりコンピューター制御で照射されるレーザー光線で彫刻が造形されて成る塗物において、
前記要所に接着層が積層塗布され、該接着層に金箔が接着されて該要所に造形表現部が形成され、
前記彫刻が、該造形表現部における肖像造形及び／又は花鳥風月造形から成る。
本発明の請求項４に記載した塗物は、請求項３に記載した塗物において、
前記造形表現部が、接着層と該接着層に接着される金箔との複数階層から成る。
【発明の効果】
【０００６】
本発明によれば、塗物の外面要所に形成される造形表現部におけるレーザー光線による肖像造形及び／又は花鳥風月造形が、金箔と漆の接着層と塗料の層とのグラデーションによるものであるため、写真のように表情豊かな肖像表現や写生画のような花鳥風月表現となる。また、造形表現部に彫りかす剥離用薬液が塗布されるため、造形後は水洗により彫りかすを除去できるから、仕上がりがきれいになる。肖像造形された位牌は写真立てを不要とする。
【図面の簡単な説明】
【０００７】
【図１】本発明に係る塗物としての位牌Ａの説明図。
【図２】図１のＰ部を分解拡大した部分構成説明図。
【発明を実施するための形態】
【０００８】
塗物の外面要所に形成される造形表現部は、塗料表面に積層塗布される漆の接着層と該接着層に接着される金箔とが一対である一層のものから、２対などの複数階層のものまで選択される。また、コンピューターで画像処理された写真などの濃淡によりレーザー光線の照射深度や走査速度が制御され、明るい部位は金箔で表現され、輪郭や暗い部位は黒色の漆の接着層と塗料の層で表現されるから、はっきり目視できるグラデーションにより表情豊かな肖像や写生画のような花鳥風月が最上段の金箔の中に形成される。
なお、水洗による仕上げ処理は彫りかす除去にバキューム処理も併用される。
【実施例】
【０００９】
本発明が施された塗物としての位牌Ａを実施例により説明すると、唐木（紫たんや黒たん）等の基材１に下地材（目止め）２を塗り、その外面に塗料（一層又は二層）３を塗布した位牌本体４の上部において図１に示すように、塗料３の表面に造形表現部としての肖像表現部５を形成し、肖像表現部５に水溶性の彫りかす剥離用薬液を塗布し、コンピューターに入力した画像に倣い図外のレーザー加工機から照射されるレーザー光線（温度800℃、線径70μ）でバキュームによる彫りかすを吸引しつつ故人の肖像６を造形し、肖像造形後は水洗による仕上げ処理を施す。
ここで、肖像表現部５について説明すると、図２に示すように、基材１の外面に下地材２を介して黒色の塗料３が塗布された位牌本体４の要所（上部）で、塗料３の上面に漆（黒色）による一層目の接着層５aが積層塗布され、接着層５aの上面に一枚目の金箔５bが接着され、さらに、金箔５bの上面に黒色の漆による二層目の接着層５aが塗布され、接着層５aの上面に二枚目の金箔５bが接着される。すなわち、本実施例での肖像表現部５は黒色の漆による接着層５aと金箔５bによる二階層のものから成る。
【００１０】
このようにして成る位牌Ａでは、肖像表現部５に造形される肖像６は、コンピューターで処理された画像の濃淡に倣いレーザー光線の照射深度と走査速度が制御され、明るい部位は最上段（二枚目）の金箔５bが残され、輪郭や暗い部位（陰影など）は黒色の漆の接着層５aや黒色の塗料３で表現され、ぼかし状態の明るさは二層目の接着層５aから透かして目視される一枚目の金箔５bで表現されるなどで、はっきりと目視できるグラデーションによる表情豊かなものである。したがって、位牌本体４の上部（上部に限定されるものではない）に、故人の肖像６が最上段の金箔５bの中にあせることなく表現されるから仏壇内の写真立てが不要となる。
なお、肖像表現部５における金箔５bに代えてプラチナ箔を使用できることは勿論である。
【産業上の利用可能性】
【００１１】
本発明は、漆器や仏具製造業界の活性化に貢献できる上、レーザー加工機の塗物の分野における利用拡大にも資するものである。
【符号の説明】
【００１２】
１：基材
２：下地材
３：塗料
４：位牌本体
５：肖像表現部
５a：接着層
５b：金箔
６：肖像
Ａ：位牌
【図１】
0005530579.tif 000002
【図２】
0005530579.tif 000003